(57)【特許請求の範囲】
【請求項１】
固有のＩＤコードを含む呼出信号を発信するワイヤレス発信器と、このワイヤレス発信器から上記呼出信号を受けて、この呼出信号に含まれるＩＤコードを解析し、上記ワイヤレス発信器に対応した番号を表示するワイヤレス受信器とで構成したワイヤレスコールシステムにおいて、
上記ワイヤレス発信器は、上記呼出信号を発信したときには、受信動作を開始する信号受信手段を備え、
上記ワイヤレス受信器は、上記ワイヤレス発信器から上記呼出信号を受信したときには、呼出受付信号を発信する信号発信手段を備える構成としており、
上記ワイヤレス発信器は、上記ワイヤレス受信器から上記呼出受付信号を受信したときには、所定の報知動作をする報知手段を備える構成としており、
呼出信号の発信機能のみを有するワイヤレス発信器を更に備えており、
上記ワイヤレス受信器は、上記発信機能のみを有する発信器と、上記信号受信手段を備える発信器のいずれの呼出かを判断し、上記発信機能のみを有する発信器の呼出であれば、上記呼出受付信号を発信しない構成としたワイヤレスコールシステム。
【請求項２】
請求項１において、
上記ワイヤレス発信器では、信号受信手段は、上記呼出信号を発信してから所定時間が経過したときには、受信動作を終了する構成としたワイヤレスコールシステム。
【請求項３】
請求項１または請求項２において、
上記ワイヤレス発信器では、信号受信手段は、上記ワイヤレス受信器から上記呼出受付信号を受信したときには、受信動作を終了する構成としたワイヤレスコールシステム。
【請求項４】
請求項３において、
上記ワイヤレス受信器では、受信した呼出信号に含まれるＩＤコードの解析結果により、対応する発信器が、上記発信機能のみを有する発信器と、上記信号受信手段を備える発信器とのいずれであるかを判断する構成としたワイヤレスコールシステム。
【発明の詳細な説明】
【０００１】
【発明の属する技術分野】
本発明は、レストランなどで使用されるワイヤレスコールシステムの改良に関する。
【０００２】
【従来の技術】
従来より、レストランなどでは、ワイヤレスコールシステムが広く使用されている。例えば、レストランでは、各テーブルにワイヤレス発信器を設置しておき、客がサービスを要求するときに発信器に設けた押釦を操作すると、発信器からは固有のＩＤコードを含む呼出信号が発信され、店員の待機する場所に設置してあるワイヤレス受信器がこれを受信し、受信した呼出信号よりＩＤコードを解析し、対応する発信器の番号を表示する。
【０００３】
【発明が解決しようとする課題】
ところが、上記した従来のワイヤレスコールシステムでは、呼出側において、発信器より発信された呼出信号が受信器に正常に到達したかが確認できず、そのため、正常に呼出信号が到達しているにもかかわらず再度発信器を操作したり、正常に呼出信号が到達していないにもかかわらず、来るはずのない店員を待ち続けるといった事態が発生していた。
【０００４】
本発明は、上記事情を考慮してなされたものであり、呼出側において、発信器より受信器に対して、正常に呼出信号が到達したかを容易に確認することのできるワイヤレスコールシステムを提供することを目的としている。
【０００５】
【課題を解決するための手段】
上記目的を達成するために、本発明の請求項１に記載のワイヤレスコールシステムでは、ワイヤレス発信器は、呼出信号を発信したときには、受信動作を開始する信号受信手段を備え、ワイヤレス受信器は、ワイヤレス発信器から呼出信号を受信したときには、呼出受付信号を発信する信号発信手段を備える構成としており、ワイヤレス発信器は、ワイヤレス受信器から呼出受付信号を受信したときには、所定の報知動作をする報知手段を備える構成としており、呼出信号の発信機能のみを有するワイヤレス発信器を更に備えており、ワイヤレス受信器は、発信機能のみを有する発信器と、信号受信手段を備える発信器のいずれの呼出かを判断し、発信機能のみを有する発信器の呼出であれば、呼出受付信号を発信しない構成としている。
【０００６】
請求項２に記載のワイヤレスコールシステムでは、ワイヤレス発信器では、信号受信手段は、呼出信号を発信してから所定時間が経過したときには、受信動作を終了する構成とした。
【０００７】
請求項３に記載のワイヤレスコールシステムでは、ワイヤレス発信器では、信号受信手段は、ワイヤレス受信器から呼出受付信号を受信したときには、受信動作を終了する構成とした。
【０００９】
請求項４に記載のワイヤレスコールシステムでは、ワイヤレス受信器では、受信した呼出信号に含まれるＩＤコードの解析結果により、対応する発信器が、発信機能のみを有する発信器と、信号受信手段を備える発信器とのいずれであるかを判断する構成とした。
【００１０】
【発明の実施の形態】
以下に、本発明の実施の形態について、図面とともに説明する。図１は、本発明のワイヤレスコールシステムシステムの要部構成の一例を示す図である。
【００１１】
このワイヤレスコールシステムは、固有のＩＤコードを含む呼出信号を発信するワイヤレス発信器１，２と、ワイヤレス発信器１，２から呼出信号を受けて、この呼出信号に含まれるＩＤコードを解析し、ワイヤレス発信器１，２に対応した番号を表示するワイヤレス受信器３とを組み合わせて構成している。
【００１２】
ここで、ワイヤレス発信器２は従来構成のものを使用しており、ワイヤレス発信器１は、この従来構成に、ワイヤレス受信器３に呼出信号を発信したときに、受信動作をする信号受信手段を新たに備えた点を特徴としている。
【００１３】
また、ワイヤレス受信器３は、従来のワイヤレス受信器の構成に、ワイヤレス発信器から呼出信号を受信したときには、呼出受付信号を発信する信号発信手段を新たに備えた点を特徴としている。
【００１４】
ワイヤレス発信器１、ワイヤレス受信器３の双方ともに、図２に示すような内部構成をしている。すなわち、ワイヤレス発信器１、ワイヤレス受信器３の各々は、ＣＰＵなどで構成され、以下の各部を制御する信号処理部１０と、アンテナＡＮＴを介して、各種信号を送受する送受信部１１と、ＰＬＬ制御をするＰＬＬ制御部１２と、後述する動作のため、各種データを記憶するデータ記憶部１３と、ＬＥＤなどで構成される表示部１４と、スピーカなどで構成される鳴動部１５と、各種操作釦などで構成される鳴動部１６と、後述する動作のため、各種設定をする設定部１７とを備える。
【００１５】
ここで、ワイヤレス発信器１では、データ記憶部１３には、設定部１７によって割り付けられた固有のＩＤコードが記憶されている。一方のワイヤレス受信器３では、データ記憶部１３には、設定部１７によって、ワイヤレス発信器１のＩＤコードと、そのワイヤレス発信器１の番号とが対応して設定され記憶されている。
【００１６】
このような構成のワイヤレスコールシステムは、図３に示すような動作をなす。すなわち、ワイヤレス発信器１は、呼出信号を発信したときには、受信動作を開始する。なお、呼出信号を発信してから所定時間が経過したときには、受信動作を終了する。
【００１７】
そして、ワイヤレス受信器３がワイヤレス発信器１からの呼出信号を受信すると、その呼出信号に含まれるＩＤコードを解析して、対応する番号を表示するとともに、呼出音を鳴動する。
【００１８】
その後、ワイヤレス受信器３は、解析したＩＤコードのワイヤレス発信器１に対して呼出受付信号を発信する。このとき、ワイヤレス発信器１では、受信動作が継続されているので、ワイヤレス受信器３からの呼出受付信号を受信し、受信動作を終了して、ワイヤレス受信器３が呼出を受け付けた旨をＬＥＤ表示、呼出受付音鳴動などによって報知する。
【００１９】
これによって、呼出側において、発信器１より受信器３に対して、正常に呼出信号が到達したかを容易に確認することができる。
【００２０】
なお、上記動作は、ワイヤレス発信器１からの呼出に対する処理を示したが、ワイヤレス発信器２からの呼出にも対応するため、ワイヤレス受信器３では、データ記憶部１３に、発信器１，２のＩＤコードと番号の他、発信器１，２の種別を記憶している。
【００２１】
このような構成によれば、発信器１，２から呼出信号を受信したときには、その呼出信号に含まれるＩＤコードの解析結果により、発信器１からの呼出か、発信器２からの呼出かを判断する。そして、発信器１からの呼出であれば呼出受付信号を発信するが、発信器２からの呼出であれば呼出受付信号を出力しない。
【００２２】
これによって、従来構成のワイヤレス発信器２を混在させて使用することができる。また、従来構成のワイヤレス発信器２からの呼出に対しては呼出受付信号を出力しないため、不要な電波が発信されず、消費電力の低減、電波環境の健全化を図ることができる。
【００２３】
【発明の効果】
以上の説明からも理解できるように、本発明の請求項１〜４に記載のワイヤレスコールシステムでは、ワイヤレス発信器は、呼出信号を発信したときには、受信動作を開始する信号受信手段を備え、ワイヤレス受信器は、ワイヤレス発信器から呼出信号を受信したときには、呼出受付信号を発信する信号発信手段を備える構成としており、ワイヤレス発信器は、ワイヤレス受信器から呼出受付信号を受信したときには、所定の報知動作をする報知手段を備える構成としたので、呼出側において、ワイヤレス発信器よりワイヤレス受信器に対して、正常に呼出信号が到達したかを容易に確認することができる。
また、ワイヤレス受信器は、発信機能のみを有する発信器と、信号受信手段を備える発信器のいずれの呼出かを判断し、発信機能のみを有する発信器の呼出であれば、呼出受付信号を発信しない構成としたので、従来構成のワイヤレス発信器を混在させて使用することができる。また、従来構成のワイヤレス発信器からの呼出に対しては呼出受付信号を出力しないため、不要な電波が発信されず、消費電力の低減、電波環境の健全化を図ることができる。
【００２４】
請求項２に記載のワイヤレスコールシステムでは、ワイヤレス発信器では、信号受信手段は、呼出信号を発信してから所定時間が経過したときには、受信動作を終了する構成としたので、受信動作に必要な消費電力が抑制され、そのため、発信器の内蔵電池が長持ちするという利点がある。
【００２５】
請求項３に記載のワイヤレスコールシステムでは、ワイヤレス発信器では、信号受信手段は、ワイヤレス受信器から呼出受付信号を受信したときには、受信動作を終了する構成としたので、受信動作に必要な消費電力が抑制され、そのため、発信器の内蔵電池が長持ちするという利点がある。
【図面の簡単な説明】
【図１】本発明のワイヤレスコールシステムの要部構成の一例を示す図である。
【図２】ワイヤレス発信器、ワイヤレス受信器の各々の内部構成の一例を示す図である。
【図３】本発明のワイヤレスコールシステムの動作の一例を示すタイムチャートである。
【符号の説明】
１・・・ワイヤレス発信器（新規構成）
２・・・ワイヤレス発信器（従来構成）
３・・・ワイヤレス受信器
１０・・・信号処理部
１１・・・送受信部
１４・・・表示部
１５・・・鳴動部
【図１】
0003633529.tif 000002
【図２】
0003633529.tif 000003
【図３】
0003633529.tif 000004